Podtech/llm-jp-corpus-v4-ja_patent huggingface dataset:
(57)【要約】【課題】  ノート式学習ドリルは、解答を記入するだけなので、集中力の少ない学習者にも、手で操作することにより、気分転嫁をして学習時間を持続させる。【解決手段】  従来のノート式でなく、タテ軸に切れ目を入れヨコ軸を交互にあみ込み、文字、記号、色彩等をずらして学習する。【選択図】図１
2010072605.tif 000002
【特許請求の範囲】
【請求項１】
切り込みが複数あるタテ軸に対し、ヨコ軸の切り込みに対して、上、下と交互に移動することにより、格子状の模様が表れ、その格子状の面に、文字や、記号、色彩などを入れ変化を楽しめるあみ込み変化。
【請求項２】
請求項１に記載したヨコ軸は、タテ軸のある基台面積よりも、左、右が長くなっていることを特徴とする、あみ込み変化
【発明の詳細な説明】
【技術分野】
【０００１】  本発明は折り紙などで作る、切り込みを利用したあみ込みに、文字、記号、色などを記載し、それらを操作しながら学習ドリルやゲーム遊びに関するものである。
【背景技術】
【０００２】  従来の学習ドリルは、ノート形式のものが多かった。
【特許文献１】  特願２００６−２５１９５９  うろこ状で差し込み式になっていた。
【発明の開示】
【発明が解決しようとする課題】
【０００３】  従来の学習ドリルは、教科書形式で表されている計算反復練習形式が多く、学習者は、次の段階へ進むためにはページをめくると云う動作しかなく、集中力が短く、理解度の低い学習者には苦痛であった。
【課題を解決するための手段】
【０００４】  本発明は意識的に気分を変えるだけでなく、あみ込みのヨコ軸をあみ変えるだけで、気分も一新しあみ込み面も変化するので、学習面においても〈やりたい〉と云う気分も増す。
また、あみ込み面は、表面、裏面と両面使用でき、手で操作するだけなので、幼年者から高齢者まで、幅広い層の人々が利用できる。
図１について説明すると、基台１の表面には、丸が表れている。
基台１の裏面には、正方形が並んでいる。図３、４は、ヨコ軸を少し操作してずらした状態である。ヨコ軸一本を取り出したものが、図１、２の下図にある３′のようになっている。
又、ヨコ軸の両端はあみ込みの操作がしやすいように丸みをつけてカットしてあり、基台よりも両端を長くし、あみ込み面が安定して保持するためと、ずれ防止をかねている。
【発明の効果】
【０００５】  本発明の例として、作文のドリルを考えるとき、図５の表面は、作文の基礎になる、誰が、いつ、どこで、何を、した、を一コマずつに入れてどんな風に組み合わせたら分かりやすく、自分なりの考えを表せるかを考えられるようにする。上から、一コマ、一段ずつ拾って、それをつなぎ文にする。
あみ込みを変えることにより、文が変になったり、すっきりした文になるので、あきずに取り組める。ヨコ軸を基台１とのバランスのとれた色彩配色にすることにより、あみ込みの色彩も変化するので、気分転嫁にもよい。図６は５の裏面である。
算数の基礎である掛け算を想定し、２の段から順にあみ込みをしている。一コマに表れている数から、隠れている数字を考える。分からなければ、少しずらせばすぐに分かる。又、表れている数を見て２＋６  ６＋１０とか、１０−６  ６−２とかも考えられる。２÷６  ２×６とも考えられ、親子で問題作りを考えてもよい。
ヨコ軸の両端は、あみ込み操作がしやすくなるように、丸みをつけてカットしてあるので、タテ軸に通しやすい。
【発明を実施するための最良の形態】
【０００６】  本発明は、切り込みのある基台１にタテ軸があり、主に、ヨコ軸を操作して表面を変える。
【実施例】
【０００７】  文例図５で説明すれば上から順に下へ好きな一コマを拾う
“夕方、友達が、花畠に、ボールを、手伝った”となり、最後の形が変な具合になり、少しずらして他の文例を探す。そこで“落とした”の文例をみつけ、“夕方、友達が、花畠に、ボールを、落とした”と完成する。
ヨコ軸を全部抜いて、段を入れ替えると、又、違った文例とな理、起承転結の大切さが理解できる。
図１の図形で説明すれば、ヨコ軸は、全部同じパターンであるので、２段ごとにヨコ軸を裏返しであみ込むと。丸が２段、四角が２段、又、丸が２段と変えて行くとパターンの表情を変えることができ新しいイメージとなる。
漢字などで、一コマに一文字、又は、二文字を入れて、熟語づくりをしてもよく、色彩を一コマずつ違えて並べ変えて色遊び等にも利用できるので、幼児から高齢者まで簡単に手で操作ができることを特徴とするあみ込み変化。
【図面の簡単な説明】
【０００８】
【図１】本発明に係る図形パターンの表面である
【図２】本発明に係る図形パターンの裏面である
【図３】本発明に係る図形パターンの表面のヨコ軸をずらした図である
【図４】本発明に係る図形パターンの裏面のヨコ軸をずらした図である
【図５】文例の表面の図である
【図６】数例の掛け算の一部パターンである
【符号の説明】
【０００９】  １    あみ込みの基台
２    タテ軸
３    ヨコ軸
【図１】
2010072605.tif 000003
【図２】
2010072605.tif 000004
【図３】
2010072605.tif 000005
【図４】
2010072605.tif 000006
【図５】
2010072605.tif 000007
【図６】
2010072605.tif 000008
(57)【要約】【課題】この発明は、大量にあるため記憶に残りにくくなっている屋外の広告や告知の効果を高める方法に関するものである。【解決手段】赤外線感度のあるデジタルカメラを介した場合にのみ目視できる文字や画像を壁面などに赤外線を照射することによって広告や告知を行うことにより、肉眼では見えないものを見るという経験や、見るためにかかる手間などから、広告や告知の内容の記憶への定着を促す。【選択図】図１
2010072609.tif 000002
【特許請求の範囲】
【請求項１】
肉眼では見えないが、携帯電話機などのデジタルカメラを介しては視認することができる文字および画像により広告や告知を提供するシステム。
【発明の詳細な説明】
【発明の詳細な説明】
【技術分野】
【０００１】  本発明は、赤外線により文字や画像の静止画や動画を照射し、これを広く普及しているデジタルカメラや携帯電話機に搭載されたデジタルカメラを介して目視させることにより、周囲の人の肉眼には見えない内容を伝える広告または告知の方法に関するものである。
【背景技術】
【０００２】  看板、ポスターなどの広告や告知は、万人の目に触れる必要があるため、誰でも視認でき、光線を照射する形態を採る場合には可視光を利用している。
【発明が解決しようとする課題】
【０００３】  看板、ポスター、屋外ビジョン、ネオンサインなど屋外には人目を惹くための広告や告知が数多く存在しており、目に触れる機会は非常に多いにも関わらず見た人の記憶に残らなくなっている。ゆえに、屋外広告は、より目立たせるために、派手な色彩を利用したり、大型化したり、大音量を併用するなど、景観や環境を損ねかねない手法を採る場合がある。
【課題を解決するための手段】
【０００４】  広く普及しているデジタルカメラや携帯電話のカメラの中には赤外線感度のある機種が多く含まれる。壁面などに赤外線を照射すると、肉眼では見ることができないが、デジタルカメラを介すると見ることができる。デジタルカメラを介さなければ見ることができない広告や告知を行えば、人はそれらの広告や告知を見るために立ち止まり、デジタルカメラを操作し、表示される文字や画像を凝視する必要があり、記憶に残りやすい。
【発明を実施するための最良の形態】
【０００５】  赤外線のレーザー光を照射するための赤外線照射装置から、壁面やポスターの一部などに赤外線による文字や画像を照射する。これを通行人などがデジタルカメラや携帯電話機に搭載されたデジタルカメラのレンズを通して目視する。
【発明の効果】
【０００６】  本発明により、肉眼で見えないものを見るという経験の楽しさや、見るための手間により、広告や告知の内容を見る者の記憶に強く残すことができる。
【図面の簡単な説明】
【０００７】
【図１】  赤外線照射装置の概念図である。
【符号の説明】
１は赤外線照射装置である。
２は赤外線を照射する壁面などの対象物である。
３は赤外線感度のあるデジタルカメラまたは携帯電話機に搭載されたデジタルカメラである。
【図１】
2010072609.tif 000003
(57)【要約】【課題】    設備などの環境を必要とすることなく、どこにでも持ち歩け、普及率の高く使用頻度の多い携帯電話の画面に漢字とその読み、四字熟語とその読みや意味をアニメーション表示させることにより、手軽に学習でき知的好奇心を高める携帯電話用漢字及び四字熟語アニメーションシステムを提供する。【解決手段】アニメーション機能を持つ画像形式のうち、インターネット通信に利用可能で汎用性が高く、携帯電話の画面に表示可能なＧＩＦとＦＬＡＳＨ形式で、漢字とその読み、四字熟語とその読みや意味を携帯電話の画面に（Ａ）から（Ｉ）のようにアニメーション表示する携帯電話用漢字及び四字熟語アニメーションシステムを特徴とする。【選択図】図１
2010072610.tif 000002
【特許請求の範囲】
【請求項１】
インターネット通信によるデータ供給により、設備などの環境を気にする必要がなく、どこにでも持ち歩くことが可能な利便性により普及率が高く使用頻度の多い携帯電話。その画面上に、漢字とその読み、四字熟語とその読みや意味を、アニメーション機能を持つ画像形式ＧＩＦ及びＦＬＡＳＨ形式で（Ａ）から（Ｉ）のようにアニメーション表示させる携帯電話用漢字及び四字熟語アニメーションシステム。
【請求項２】
ＧＩＦまたはＦＬＡＳＨ形式で（Ａ）から（Ｉ）のような漢字や四字熟語のアニメーションパターンを作成するためのアニメショーン製作プログラム。
【発明の詳細な説明】
【技術分野】
【０００１】  この発明は、携帯電話で漢字や四字熟語の知識の習得を深めるための学習用のアニメーション教材で、携帯電話用漢字及び四字熟語アニメーションシステムに関するものである。
【背景技術】
【０００２】  従来、この様な学習システムはパーソナルコンピューターやテレビゲーム機用のソフトウエアとして開発されていることが多く、学習するにあたりパーソナルコンピューターやテレビゲーム機が必要となり、設備が整備されていない環境下での学習などに不便な点があった。
【発明の開示】
【発明が解決しようとする課題】
【０００３】  以下に本発明が解決しようとしている課題を示す。
（イ）漢字及び四字熟語に対する興味や関心を持たせ、学習や知識の習得に対する意欲        が持てるようにすること。
（ロ）ソフトウエアを動作させる設備が整っていない環境でも漢字及び四字熟語の学習        を可能にすること。
【課題を解決するための手段】
【０００４】  以下に本発明で課題を解決する手段を示す。
（イ）漢字及び四字熟語の表示パターンを、図１の（Ａ）から（Ｄ）の様に登場させて        、（Ｅ）から（Ｈ）の様に消去するアニメーション形式で表示させ、最後（Ｉ）        のような形式で、漢字とその読み、四字熟語とその読みや意味を表示させ、印象        的なものを与えることで知的好奇心を誘い、興味や関心を持たせること。
（ロ）設備が整っていない環境下であっても使用するためには、通信によるデータ供給        が必要で、図２の（１）外部のデータ共有部から（２）インターネット通信回線        を介して、（３）携帯電話にデータを供給すること。
本発明は以上の構成よりなる携帯電話用漢字及び四字熟語アニメーションシステムであ  る。
【発明の効果】
【０００５】持ち歩きできる利便性によって普及率が高く、使用頻度の多い携帯電話の画面上に数種類の配色やアニメーションパターンで漢字及び四字熟語を表示させ、図１の（Ｉ）のように最後のコマで漢字の読みや四字熟語の読みと意味を表示させることにより、特に難読漢字の読みや四字熟語の意味に対する興味や関心が深まる機会が増え、学習や知識習得の意欲につながりやすくなる。インターネット通信回線を利用して、データの供給を行うことにより、専用のソフトウエアを導入する必要がなく、携帯電話への通信によるデータ供給により、ソフトウエアを動かす設備が整ってない所でも漢字及び四字熟語の学習が可能になる。
【発明を実施するための最良の形態】
【０００６】  以下、本発明を実施するために最良の形態について説明する。
図１の（Ａ）から（Ｄ）または（Ｅ）から（Ｈ）、最後の（Ｉ）のように漢字及び四字熟語を、アニメーション機能を持つ画像形式で制作している。
本発明は、以上のような構造である。
これを使用するときは、インターネット回線を介してデータ供給を行うことができ、なおかつ携帯電話の画面表示に使用できる画像形式である必要性があるため、現段階ではＧＩＦ及びＦＬＡＳＨでの画像形式でアニメーションパターンを制作することが、本発明を実施するための最良の形態である。よってこれらの画像形式でアニメーションパターンを制作する。なお制作に関しては、当方で作成したプログラムを使用し、量産が容易に行えるものとする。
【図面の簡単な説明】
【０００７】
【図１】本発明のアニメーションパターンの一例図である。
【図２】本発明の携帯電話へのデータ供給スタイルの図である。
【符号の説明】
【０００８】Ａ    漢字及び四字熟語のアニメーション表示登場パターンのコマ
Ｂ    漢字及び四字熟語のアニメーション表示登場パターンのコマ
Ｃ    漢字及び四字熟語のアニメーション表示登場パターンのコマ
Ｄ    漢字及び四字熟語のアニメーション表示登場パターンのコマ
Ｅ    漢字及び四字熟語のアニメーション表示消去パターンのコマ
Ｆ    漢字及び四字熟語のアニメーション表示消去パターンのコマ
Ｇ    漢字及び四字熟語のアニメーション表示消去パターンのコマ
Ｈ      漢字及び四字熟語のアニメーション表示消去パターンのコマ
Ｉ    漢字とその読み及び四字熟語とその読みや意味を示すパターンのコマ
１    漢字及び四字熟語データが格納されている外部のデータ共有部
２    インターネット通信回線
３    データ供給を受ける携帯電話
【図１】
2010072610.tif 000003
【図２】
2010072610.tif 000004
(57)【要約】      （修正有）【課題】ハイパーリンクの作業時間の短縮及び人的な誤りを防止する。【解決手段】ＷＥＢシステムに、事前にキーワードを特定しておくことにより、ブログシステムで記事（文書）が更新される毎にその記事（文書）に対して自動的にリンクを生成する。【選択図】図１
2010072996.tif 000002
【特許請求の範囲】
【請求項１】
WEBサイトを所持する者を対象とし、株式会社HARMONYが有するサテライトリンクシステム（SLS：自社開発商品名）により構築されたブログサイトの記事本文に対し、SLSのコントロールパネルから事前に登録されたキーワードについて、当該WEBサイトに対するハイパーリンクを自動で生成することを特徴とするWEBシステム。
【発明の詳細な説明】
【技術分野】
【０００１】
本発明は、インターネットにおけるWEBシステムに関する。
【背景技術】
【０００２】
ハイパーリンクとは、文書内に埋め込まれた、他の文書や画像などの位置情報のことで、ハイパーリンクを用いて複数の文書及び関連する画像などのオブジェクトを関連付けたシステムをハイパーテキストという。WWWはハイパーテキストの代表例で、WEBブラウザで文章を表示し、リンクのある場所をマウスでクリックすると、関連づけられたリンク先にジャンプするようになっている。
【発明の開示】
【発明が解決しようとする課題】
【０００３】
従来のハイパーリンクは、当該ＷＥＢサイトの運営者が手動により文章に対して処理を行っている。
【課題を解決するための手段】
【０００４】
上記課題を解決するためにサテライトリンクシステム（SLS：自社開発商品名）は、ＳＬＳのコントロールパネルから事前にキーワードを特定しておくことにより、ＳＬＳで構築されたブログシステムで記事（文書）が更新される毎にその記事（文書）に対して自動的にリンクを生成する。
【発明の効果】
【０００５】
本システムによって従来手動で行っていたことによる作業時間の短縮することができ、また人的誤りを防ぐことができる。
【発明を実施するための最良の形態】
【０００６】
ブラウザはInternet Explorer 6.0あるいは7.0（ともにマイクロソフト社登録商標）が望ましい。
【０００７】
以下、本発明の実施の形態として実施例を図１に基づいて説明する。
【実施例１】
【０００８】
図１において、１．ＳＬＳのコントロールパネルから事前にキーワードを設定し、２．ＳＬＳにより構築されたブログで記事を更新し、３．ブログ記事に対して自動で特定キーワードにＷＥＢサイトへのリンクを生成する。
【図面の簡単な説明】
【０００９】
【図１】ＳＬＳの相関図である。
【図１】
2010072996.tif 000003
(57)【要約】      （修正有）【課題】車軸軸受け部分および可動構造部分取り付け位置を改良し、従来の後輪駆動方式より総重量を大きく軽量化できる独立懸架式後輪駆動装置を提供する。【解決手段】サスペンションアームの取り付け部分４は差動機本体（もしくは差動機と強固に一体化された構造部材）に直接とりつけ、その中心を結んだ線上に差動機側自在継ぎ手の中心を配置するとともに構造車輪側軸受けは固定式軸受構造とし、左右の懸架装置可動部分がそれぞれ独立して可動する。【選択図】図３
2010132250.tif 000002
【特許請求の範囲】
【請求項１】
車輪側軸受けは固定式軸受構造とするが差動機側軸受けは自在継ぎ手を有し左右の懸架装置可動部分がそれぞれ独立して可動する後輪駆動装置である。
【発明の詳細な説明】
【技術分野】
【０００１】本発明は自動車の後輪駆動装置に関する。
【発明の開示】
【発明が解決しようとする課題】
【０００２】従来の後輪駆動装置は大きく分けて固定式（リジッドアクスル）後軸駆動装置（参考図１）と独立懸架式後輪駆動装置（参考図２）に分けられる。固定式においては簡単な構造および比較的軽い重量を有し、独立懸架装置においては左右独立した動きと的確な緩衝作用をおこなうことができるが構造が複雑で重量が重くなる傾向がある。本発明は両者の長所を取り入れることができるものである。【０００３】本発明は軽量自動車等の後輪駆動装置として軽量かつ経済的にすぐれた構造を有しなおかつ従来の装置より精密かつ的確な作動をおこなうことができるものである。
【課題を解決するための手段】
【０００４】車輪側軸受けは固定式後輪駆動装置（以降リジッド式と称す）と同様に単純な玉軸受（図１の引き出し１）を採用する。【０００５】差動機側は独立懸架式後輪駆動装置（以降独立式と称す）と同様に自在継ぎ手（図２の引き出し３）を有する構造とする。【０００６】本発明に関する最重要項目であるところは次の懸架装置可動部（以降サスペンションアームと称す）取り付け部分にある。【０００７】サスペンションアームの取り付け部分は差動機本体（もしくは差動機と強固に一体化された構造部材）に直接とりつけ、その中心を結んだ線上に差動機側自在継ぎ手の中心を配置する構造（図３引き出し４）とする。【０００８】サスペンションアーム取り付け部は調整用シム等で内外に微量移動できる構造とする。
【発明の効果】
【０００９】最大の効果は従来の後輪駆動方式より総重量を大きく軽量化できる。【００１０】次に可動部重量（いわゆるバネ下荷重）を大きく軽減できる。【００１１】リジッド式では不可能であった後輪軸配置調整（いわゆるホイルアライメント）のうちトーイン調整が可能になる。【００１２】差動機本体に構造部品を集約できるので車体への取り付け箇所を減らしても強固な構造を得ることができる。
【図１】
2010132250.tif 000003
【図２】
2010132250.tif 000004
【図３】
2010132250.tif 000005
【手続補正書】
【提出日】平成21年2月2日(2009.2.2)
【手続補正２】
【補正対象書類名】明細書
【補正対象項目名】全文
【補正方法】変更
【補正の内容】
【発明の詳細な説明】
【技術分野】
【０００１】本発明は自動車の後輪駆動装置に関する。
【発明の開示】
【発明が解決しようとする課題】
【０００２】従来の後輪駆動装置は大きく分けて固定式（リジッドアクスル）後軸駆動装置（参考図１）と独立懸架式後輪駆動装置（参考図２）に分けられる。固定式においては簡単な構造および比較的軽い重量を有し、独立懸架装置においては左右独立した動きと的確な緩衝作用をおこなうことができるが構造が複雑で重量が重くなる傾向がある。本発明は両者の長所を取り入れることができるものである。【０００３】本発明は軽量自動車等の後輪駆動装置として軽量かつ経済的にすぐれた構造を有しなおかつ従来の装置より精密かつ的確な作動をおこなうことができるものである。
【課題を解決するための手段】
【０００４】車輪側軸受けは固定式後輪駆動装置（以降リジッド式と称す）と同様に単純な玉軸受（図１の引き出し１）を採用する。【０００５】差動機側は独立懸架式後輪駆動装置（以降独立式と称す）と同様に自在継ぎ手（図２の引き出し３）を有する構造とする。【０００６】本発明に関する最重要項目であるところは次の懸架装置可動部（以降サスペンションアームと称す）取り付け部分にある。【０００７】サスペンションアームの取り付け部分は差動機本体（もしくは差動機と強固に一体化された構造部材）に直接とりつけ、その中心を結んだ線上に差動機側自在継ぎ手の中心を配置する構造（図３引き出し４）とする。【０００８】サスペンションアーム取り付け部は調整用シム等で内外に微量移動できる構造とする。
【発明の効果】
【０００９】最大の効果は従来の後輪駆動方式より総重量を大きく軽量化できる。【００１０】次に可動部重量（いわゆるバネ下荷重）を大きく軽減できる。【００１１】リジッド式では不可能であった後輪軸配置調整（いわゆるホイルアライメント）のうちトーイン調整が可能になる。【００１２】差動機本体に構造部品を集約できるので車体への取り付け箇所を減らしても強固な構造を得ることができる。
【図面の簡単な説明】
【００１３】
【図１】  固定式後輪軸受け正面図
【図２】  独立懸架式後輪軸受け正面図
【図３】  差動機直接取り付け式後輪懸架駆動装置平面図および正面図
【符号の説明】
【００１４】  図３引き出し４は自在継ぎ手の中心をあらわす。
(57)【要約】【課題】  石油や動植物の油脂を用いなくても、簡単に界面活性力のある洗浄水を製造できる洗浄水製造方法等を提供する。【解決手段】  重曹を電解質とした水の電気分解によって生じるアルカリ性水をオゾン発生器で発生させたオゾンを溶け込ませたことにより、洗浄水Aを製造する。【選択図】なし【特許請求の範囲】
【請求項１】
重曹を電解質とした水の電気分解によって生じるアルカリ性水をオゾン発生器で発生させたオゾンを溶け込ませたことにより、洗浄水を製造することを特徴とする洗浄水製造方法。
【発明の詳細な説明】
【技術分野】
【０００１】
この発明は、従来の界面活性剤は石油、及び動植物の油を原料に製造していたが、油脂を使わずに水と重曹と酸素だけで作られた界面活性剤・洗浄水の製造方法に関するものである。
【背景技術】
【０００２】
従来の界面活性剤は石油、及び動植物の油を原料に製造していたそのために主婦湿疹や排水による環境汚染が社会問題になっていた。
【特許文献１】特許第３１８１９２７号
【特許文献２】特許第１７４９７９３号
【発明の開示】
【発明が解決しようとする課題】
【０００３】
この問題を解決するために、特許番号：特許第３１８１９２７号電解水生成器を使用して水と重曹を混ぜ電気分解した洗浄水があったが、油汚れの洗浄力と殺菌力に問題があり、他の薬品などで、カバーする必要があった。
本発明は、水と重曹を混ぜ電気分解した洗浄水に酸素をオゾン化し溶け込まして洗浄力と殺菌力を高めたものである。
【課題を解決するための手段】
【０００４】
本発明は、薬品を使わずに電気分解した洗浄水の洗浄力を高めるために次のような手段を発見した。
（A）水と重曹を混ぜ電気分解した洗浄水を作る。
（B）Aを容器に入れ特許番号：特許第１７４９７９３号オゾン発生器で発生させたオゾンをホースでバブリングして溶け込ませる。
（C）水と重曹を混ぜ電気分解した洗浄水をオゾン水化したもの。
【発明の効果】
【０００５】
この洗浄水は、強力な殺菌効果の高いオゾンと電解水を混合したものです。
この洗浄水は、薬剤のような残留による２次感染の心配がありません。
オゾンによる固形の油脂を水溶性に変える効果が期待でき、油汚れの洗浄力も高まり環境への負担を減らすことができる。
しかもこの製法だと石油製の界面活性剤より安全に製造でき、他の商品への応用が容易である。
【発明を実施するための最良の形態】
【０００６】
本発明は、従来からある特許第３１８１９２７号電解水生成器と、特許第１７４９７９３号オゾン発生器に注目して改良したものである。
すなわち電解水生成器に水４lに重曹を２００gを溶かし、４時間３０分電気分解した洗浄水は除菌・消臭効果はあったが油汚れの洗浄力に若干の問題があった。
水道水にオゾン発生器で発生させたオゾンをバブリングした水は、殺菌力や分解力はあったが洗浄力に問題があった。
そこで、本発明者は、洗浄水をオゾン処理することで、洗浄水の洗浄力を高めることが出来るのではないかと考えて、製造に着手した。
本製品は、石油や油脂を使用していないにもかかわらず、界面活性力のある安全な水なので、野菜や果物の洗浄も容易にできる。
(57)【要約】【課題】活性酸素類に起因すると考えられる種々の現象、たとえば肌荒れ、シミ、乾燥肌、ソバカス、アトピー性の皮膚疾患などといった皮膚の障害を改善する。【解決手段】ビタミンＣ配糖体を含む抗酸化性化粧水。【選択図】なし【特許請求の範囲】
【請求項１】
ビタミンＣ配糖体を含む抗酸化性化粧水。
【発明の詳細な説明】
【技術分野】
【０００１】
本発明は、ビタミンＣ配糖体を含む抗酸化性化粧水に関する。
【背景技術】
【０００２】
体表面の皮膚には、種々の原因により、不安定なＯＨラジカルなどの含酸素ラジカル（以下、「不安定活性酸素」という）や過酸化水素など（以下、「安定活性酸素」という。なお、以下、両者を合わせて「活性酸素類」という）が、たとえば太陽光線や地殻や宇宙から放射されている自然放射線の被曝によって発生している。これらの活性酸素類は、皮膚に酸化的な傷害をもたらし、皮膚疾患の原因の１つになっている。
【０００３】
一方、体内に存在するビタミンＣやビタミンＥなどの抗酸化性ビタミン類は、不安定活性酸素を消去して生体の酸化的な傷害を防御していることが知られている。しかし、これらの抗酸化性ビタミン類の体内における量が十分でない場合には、消去されないで残った活性酸素類が癌などの病気の原因になると考えられている。
【０００４】
本発明者らは、抗酸化性ビタミン類について検討し、生体内で発生する活性酸素類を不活性化し、酸化的な障害から健康を守ることができる抗酸化健康水を見出している（特許文献１）。
【０００５】
【特許文献１】特開２００６−２６５１３７号公報
【発明の開示】
【発明が解決しようとする課題】
【０００６】
本発明者らは、ビタミンＣ配糖体を含有する抗酸化性化粧水を皮膚に塗布することによって、活性酸素類に起因すると考えられる種々の現象、たとえば肌荒れ、シミ、乾燥肌、ソバカス、アトピー性の皮膚疾患などといった皮膚の障害を改善することができることを見出し、本発明を完成した。
【課題を解決するための手段】
【０００７】
すなわち本発明は、ビタミンＣ配糖体を含有する抗酸化性化粧水に関する。
【発明の効果】
【０００８】
本発明の抗酸化性化粧水を継続的に顔あるいは手の皮膚に塗布することによって、皮膚の状態を改善してきれいな皮膚を実現でき、さらには肌荒れを予防することもできる。
【発明を実施するための最良の形態】
【０００９】
本発明において使用するビタミンＣ配糖体は、ビタミンＣ(Ｌ−アスコルビン酸)と糖からなる化合物である。
【００１０】
ビタミンＣとしてはＬ−アスコルビン酸、またはその６位が修飾された誘導体が好ましい。脂質親和性のＬ−アスコルビン酸誘導体の具体例としては、たとえば６−アシル−Ｌ−アスコルビン酸、６−パルミチル−Ｌ−アスコルビン酸、６−ステアリル−Ｌ−アスコルビン酸などが好ましくあげられる。
【００１１】
他方の構成成分である配糖体の原料成分である糖としては、たとえばグルコース、ガラクトース、フコース、キシロール、マンノース、ピラノース、ラムノース、フルコトース、アラビノース、リキソース、リボース、アローズ、アルトーズ、デオキシリボース、２−デオキシリボース、キノース、アベクオースなどの単糖類；たとえば上記単糖体が２〜４個結合したマルトース、ラクトース、セロビオース、ラフィノース、キシロビオース、スクロースなどのオクトース、アルデヒド基をもつアルドース、ケトン基をもつケトースなどのオリゴ糖があげられる。
【００１２】
これらのビタミンＣ配糖体として好ましいものは、入手が容易で、取り扱いが容易な点から、たとえばＬ−アスコルビン酸−２−グルコシド、６−パルミチル−アスコルビン酸−２−グルコシド、６−ステアリル−アスコルビン酸−２−グルコシドなどがあげられるが、これらに限定されるものではない。
【００１３】
これらのビタミンＣ配糖体（たとえばＬ−アスコルビン酸−２−グルコシドなど）は、持続性を有する抗酸化性の健康食品として市販されている安全な化合物である。
【００１４】
本発明の化粧水を調製するときに水に添加されるビタミンＣ配糖体の濃度は、０．５〜３質量％でよい。
【００１５】
本発明の化粧水は、２〜３ミリリットルを毎日２〜３回皮膚に塗布することで、きれいな肌を回復できる。
【００１６】
また、本発明の化粧水を塗布する皮膚としては、顔、首、胸、背中、手、足、脚などの皮膚が例示できる。
【実施例】
【００１７】
つぎに本発明の化粧水の効果を実施例によって説明するが、これらの実施例によって制限されるものではない。
【００１８】
実施例１
体重５１ｋｇの７６歳の女性の荒れた肌の顔（カサカサした乾燥肌）に、Ｌ−アスコルビン酸−２−グルコシドの２質量％水溶液３ミリリットルを化粧綿で朝の洗顔後と夜の就寝前に塗布した。この塗布を毎日継続したところ、４日後には女性の顔の皮膚は滑らかになった。
【００１９】
実施例２
長年の皮膚病で手が荒れ痒みのあった４５歳の女性に、使用していたステロイド薬に代えてＬ−アスコルビン酸−２−グルコシドの１質量％水溶液３ミリリットルを化粧綿で朝と晩に手に塗布した。この塗布を毎日継続したところ、１０日後には手の荒れが消え痒みも治まり、すべすべした手になった。
【００２０】
これらの実施例により明らかなように、本発明のビタミンＣ配糖体を含む抗酸化性化粧水は美肌効果を短期間に発現できることがわかる。
(57)【要約】      （修正有）【課題】郊外、過疎地区に設置され、汚泥抜き取りなどによる管理費が高額となる個人浄化槽、集落浄化槽を用いずに人糞尿を処理して液体肥料として活用できるバイオ水洗トイレシステムを提供する。【解決手段】光合成菌、バチルス菌、酵母、土着菌など自然界のバイオ菌の力を借り、人糞尿を好気発酵させ有機物を分解発酵して液肥を製造する。【選択図】なし【特許請求の範囲】
【請求項１】
人糞尿を光合成菌、耐熱バチルス菌、酵母を添加しバイオ発酵処理を行う為の定量菌液投入機及び水洗トイレからの人糞尿を溜マスで受け菌類、酵母を攪拌液化する事により発酵時間の短縮と汚水の排水を簡単にする溜マス攪拌装置及び送られた汚水を好気発酵槽により短時間に有機物を易分解性の液肥化することを特徴とするバイオ水洗トイレシステムである
【発明の詳細な説明】
【技術分野】
【０００１】この発明は汚泥、合併処理槽を用いず人糞尿を液化肥料として活用するバイオ水洗トイレシステムである
【背景技術】
【０００２】従来の合併処理槽は１トン以上の処理槽と毎年汚泥抜き取りと管理費が必要であるが、
光合成菌、バチルス菌、酵母、好気性菌、嫌気性菌で好気性発酵させ有機物を分解し短時間に液肥化させる装置は図１の▲１▼菌類定量投入機▲２▼溜マス攪拌装置▲３▼好気性発酵槽で構成する小型処理装置である、２１世紀のバイオ水洗トイレとして考えられる。
【非特許文献１】北獣会誌（１９９４）土着細菌を用いた糞尿処理の思案
【非特許文献２】現代農業（２００８）帯広畜産大学  谷  昌幸先生  十勝版・生糞土ごと発酵でリン酸リサイクルが見えてきた
【発明の開示】
【開発が解決しようとする課題】
【０００３】従来の下水道、集落合併槽によるインフラ整備は高額で維持管理経費も市町村の財政を圧迫しているのが現状でありバイオ水洗トイレは自然界に存在するバイオ菌を活用し有機物を分解処理後液肥として活用する事は小型液肥製造装置として考えられる、バイオ水洗トイレ装置は分散型地球温暖化対策に寄与する物である。
【開発を解決するための手段】
【０００４】以上の課題を解決するために、第一発明は光合性菌、バチルス菌、土着菌、酵母を定量投入する装置。
第二発明は水洗トイレより人糞尿を溜マスで受け人糞尿と菌類、酵母を攪拌液化排水する溜マス攪拌装置。
第三発明は好気発酵槽により人糞尿液を光合性菌、バチルス菌、酵母菌を（酸素）好気性発酵させることにより有機リン、窒素を分解し（尿で１日、糞で２〜３日以下）液肥化する小型装置である。（低温時の温度管理を行えばより分解発酵は促進される）
【発明の効果】
【０００５】発明バイオ水洗トイレは装置が簡単で導入価格が安く、維持管理費も少ない
【発明を実施するための最良の形態】
【０００６】この発明の一実施形態を、図１に示す
第一、二、三、発明によれば人糞尿のバイオ水洗トイレは下水道、集落合併槽による汚泥水処理システムと比較しインフラ投資額、維持費も少ないが１畳分の花壇＆菜園畑が必要である事、遊休地の多いい郊外、人口過疎地区での有効性が望める。【０００７】「実施形態の効果」
このバイオ水洗トイレの実施形態によれば、自然界のバイオ菌＆光合成菌の相乗効果で菜園は悪臭、汚染も無く又夏場の散水不要となる。（４人家族）
既設浄化槽の前に溜マス攪拌装置を設置しバイオ水洗トイレを導入する事により既設浄化槽は不要となり毎年の汚泥抜きと管理費等不要となり不要となった浄化槽は雨水タンクとして活用出来る。
電力＝３００ｗ＊４ｍｉｎ／６０＊使用回数
水道水＝８Ｌ＊使用回数（尿＝６Ｌ）溜マス洗浄工程オプションを入れると水は２倍となる【０００８】「他の実施形態」
過疎地で自宅に隣接した畑が有れば畝間に排水ホースを引きホース上に敷きわらを行う事により２人家族では土着菌が機能し悪臭、汚染の無い処理が出来る。
【図面の簡単な説明】
【０００９】
【図１】この発明の実施形態を示す系統図である
【符号説明】
【００１０】          １  定量菌液投入装置
２  溜マス攪拌装置）
３  好気性醗酵槽（エアー攪拌）
４  水洗便器（市販）
【図１】
2010132520.tif 000002
(57)【要約】【課題】混ざったゴミを一つずつ拾い分ける煩わしさをなくす為に、ひとつのゴミ入れを縦に分割した、分別ゴミ入れを提供する。【解決の手段】ゴミ入れ本体（１）を縦に分割し、補充板（２）を分割したそれぞれの本体（１）に付け、盆状の皿（３）に収めた、分別できるゴミ入れを特徴とする。【選択図】図１
2010132451.tif 000002
【特許請求の範囲】
【請求項１】
ゴミ入れを縦に分割し、カットした部分に板を補充し、それぞれを独立させる。
それらを一緒に盆状の皿に収めた分別ゴミ入れ。
【発明の詳細な説明】
【技術分野】
【０００１】この発明は、ゴミの分別収集に伴い、居間などの部屋に置く最も身近なゴミ入れを、分割し、カット面に板を補充し、それぞれ独立したゴミ入れとし、ゴミの収集日に合わせて簡単に処理できる、分別ゴミ入れに関するものである。
【背景技術】
【０００２】従来のゴミ入れは、分別収集のなかった時代の物で、燃えるゴミも、ビニールゴミなども一緒に入れている。どの家庭にもキッチンには細かく分類して廃棄できるよう、大型のゴミ入れがいくつか並んでいると思う。
しかし、度々でる小さなゴミはキッチンまで行くのが面倒で、つい近くのゴミ入れに入れてしまう。ところが、収集日には一つ一つ手で拾ってビニール袋に詰めてゴミを集積場へ捨てに行っている。仕分けに時間も掛かり、不衛生でもある。
【発明の開示】
【発明が解決しょうとする課題】
【０００３】従来のゴミ入れには、次のような欠点があった。
（イ）燃えるゴミ、ビニールゴミ、不燃物などのゴミが混ざっている。
（ロ）分別するのに、時間が掛かり、不衛生である。
本発明は、以上のような欠点を無くす為になされたものである。
【課題を解決する為の手段】
【０００４】ひとつのゴミ入れを分割することにより、捨てる時に分けることで、ゴミの収集日には、当日廃棄する部分だけを選び、簡単に処理することができる。
本発明は、分割した構成よりなる分別ゴミ入れである。
【発明の効果】
【０００５】収集日に合わせて必要な部分だけのゴミを処理でき、スピーディー且つ清潔であり、部屋に複数のゴミ入れを設置する必要もない。
【発明を実施する為の最良の形態】
【０００６】以下、本発明を実施する為の最良の形態について説明する。
ひとつのゴミ入れを縦に分割し、カットした部分にそれぞれ板を補充し、それぞれが独立したゴミ入れとなる。そのまま床に置くのは、少し不安定なので盆状皿の中に一緒に収める。
【図面の簡単な説明】
【０００７】
【図１】  本発明の斜視図である。
【図２】  本発明の断面図である。
【符号の説明】
【０００８】１            ゴミ入れ本体
２            補充板
３            盆状皿
【図１】
2010132451.tif 000003
【図２】
2010132451.tif 000004
(57)【要約】【課題】金型、刃物の摩耗及び割れを母材と同一金属にて埋め母材金属と同様の強度、硬度再生する金属再生方法を提供するものである。【解決手段】再生が必要な金属にマイナス電圧を与え、金属原子を出す電極にプラス電圧を与え、振動周波数と同時に短絡を繰り返す事で電極を構成する金属から金属原子を遷移させることで欠陥、摩耗部位を復元させる金属再生方法を提供するものである。【選択図】図1
2010132951.tif 000002
【特許請求の範囲】
【請求項１】
微細電気放電にてタングステン金属の金属原子を遷移させ、遷移側の金属を原子間被覆させた上で表面被覆も同時に行う、ペネトロン装置を用いた金属再生方法。
【請求項２】
微細電気放電発生電極にタングステンとイットリウム、ジルコニウム、ストロンチウム、セチウム、遷移元素（六方最密構造）を含ませたタングステン電極を具備したペネトロン装置を用いた金属再生方法。
【請求項３】
電極とするタングステン側にプラス電圧とし、遷移側金属にマイナス電圧を与え、放電を発生させるペネトロン装置を用いて、金属原子間遷移を可能する金属再生方法。
【請求項４】
遷移電極金属を変える事で、遷移側金属と合金金属を構成する事で、表面直下から表面に向かって合金金属で被覆できるペネトロン装置を用いた金属再生方法。
【発明の詳細な説明】
【技術分野】
【０００１】
本発明は、電気放電現象にて金属原子遷移現象を使って、金属原子を相手方に遷移させることで、金属の摩耗部位及び傷、欠陥部分を同一金属で補修することを目的とする金属再生技術に関する。
【背景技術】
【０００２】
産業界の発展によって金属金型、樹脂金型、切断刃物等の超硬金属が多用されるようになった、しかし金型、刃物で使われる金属の中で超硬金属は硬いが脆い性質を持ち、摩耗が発生した時点で、再生不能であり、使い捨て金属の一端を担ってきた。
【０００３】
金型及び刃物においては、摩耗による欠落が生じ製品及び食品に欠落した金属破片が混入し、商品自体の安全性の欠落も指摘されている。
【発明の開示】
【発明が解決しようとする課題】
【０００４】
金属金型及び刃物において、消耗した時点で研磨を施し寸法を小さくして、再利用するか、溶接盛り及び鍍金にて肉盛を行う他手段は無かった。しかし溶接及び鍍金は部分的に異材金属組織になる為、母材金属強度とは程遠い金属組織を有するので、耐久性が無く、特に超硬金属（タングステン）においては、溶接及び鍍金補修は不可能であり、使い捨て状態であった。
【課題を解決するための手段】
【０００５】
上記課題を解決するため、金型及び刃物にマイナス電圧を与え、電極金属（タングステン）にプラス電圧を与え小さな放電によって電極金属（タングステン）からマイナス電圧を与えた母材金属に電極金属の原子遷移を行う事で、母材金属の内部に遷移してきた金属が撃ち込まれ、母材金属の表面に向かって積み上げる金属表面被覆方法（ペネトロン）を特徴とする。
【発明の効果】
【０００６】
本発明の効果として、電極には母材金属と同様の金属を使用するため、遷移された原子は母材金属と同様であるので、密着強度は母材金属と同様の強度を得る事が出来る。
【０００７】
超硬金属（タングステン）の場合、必ず繋ぎ金属（コバルト等）を混入する為、繋ぎ金属の腐食が問題となっていたが、電極をタングステンとすると、純粋タングステンが表面被覆するため、如何なる薬品にたいしても腐食を示さない。
【０００８】
金型及び刃物の摩耗部位においては、タングステン電極で母材金属の摩耗部位に打ち込み、電極を替えて遷移元素を入れたタングステン電極にてタングステン肉盛を行い、
最後に純粋タングステン電極にて最終被覆を行う。
【０００９】
金型及び刃物とする母材の大きな摩耗においては、摩耗部位にニッケル鍍金を施した後、遷移金属を入れたタングステン電極にて、ニッケルメッキを溶かしながら、ニッケル、遷移元素、タングステンで三化還元金属を母材金属に打ち込みながら表面被覆を行う。
【符号の説明】
【００１０】
１  ハ゛イフ゛レーター
２  電極（＋）
３  試料（−）
４  直流電流
５  充電回路
６  放電回路
７  母材
8  クラック
9  電極棒
10  放電
【図面の簡単な説明】
【００１１】
【図１】放電硬化に使用される基本的電気回路は図1に示す、いわゆるラザゼンコ回路(R-C回路)であるが、電極(＋)と母材(−)との極性が通常の放電加工と比較して、逆に配置されている。また電極がハ゛イフ゛レーターに取り付けられていて、放電後に両極が短絡する点が著しい特徴である。回路として100V.200Vの交流電源と、直流発電機と全波整流装置、コンデンサーと可変抵抗で全体の回路を組み、バイブレーターが加わる構造である。
【図２】母材に発生したクラックに電極からの放電によって電極金属から金属原子が飛び出し、母材に発生したクラックを母材と同じ金属によってクラックを埋めるけ原理図2に示す。
【図１】
2010132951.tif 000003
【図２】
2010132951.tif 000004
(57)【要約】【課題】塵５を遮蔽してティッシュペーパー４を衛生にし、さらに掃除の手間を省く事ができ、ティッシュペーパーの容器１に使用が可能なティッシュペーパーの使い捨て蓋８を提供することを目的とする。【解決手段】ティッシュペーパーの使い捨て蓋８を使用し、露出しているティッシュペーパー４を挟んで密着させて空気に露出する機会を減らし、塵５の汚れから遮蔽する。ティッシュペーパーの使い捨て蓋８が汚れた場合は使い捨てて、新しいティッシュペーパーの使い捨て蓋８に交換してティッシュペーパーの容器１に被せる事により、汚れたティッシュペーパーの使い捨て蓋８を掃除する手間を省く。【選択図】図１
2010132320.tif 000002
【特許請求の範囲】
【請求項１】
ティッシュペーパーの容器から露出しているティッシュペーパーに密着させる構造と、使い捨てで交換可能な構造を有してなることを特徴とするティッシュペーパーの使い捨て蓋。
【発明の詳細な説明】
【技術分野】
【０００１】
この発明は、ティッシュペーパーの容器から露出しているティッシュペーパーを遮蔽する、ティッシュペーパーの使い捨て蓋に関する。
【背景技術】
【０００２】
従来、ティッシュペーパーの容器はティッシュペーパー全体を覆っている。使用時は、ティッシュペーパーが取り出す為の穴から露出している（図４）。
【発明の開示】
【発明が解決しようとする課題】
【０００３】
従来の技術によれば、使用時に露出しているティッシュペーパーが常に空気に晒されており、塵を遮蔽できずに汚れやすく不衛生であった。汚れた場合はティッシュペーパーの衛生を保つ為の掃除が不可欠であった。
そこで、この発明は、塵を遮蔽する事でティッシュペーパーを衛生にして、さらに掃除の手間を省くことができるティッシュペーパーの使い捨て蓋を提供することを目的とする。
【課題を解決するための手段】
【０００４】
以上の課題を解決するために、第一発明は、ティッシュペーパーの容器から露出しているティッシュペーパーに密着させる構造と、使い捨てで交換可能な構造を有してなることを特徴とするティッシュペーパーの使い捨て蓋。
【発明の効果】
【０００５】
第一発明によれば、従来のティッシュペーパーの容器から露出しているティッシュペーパーの上からティッシュペーパーの使い捨て蓋を被せて、ティッシュペーパーの容器とティッシュペーパーの使い捨て蓋で露出しているティッシュペーパーを挟んで密着させる事の働きにより、ティッシュペーパーが空気に露出する機会を減らし、塵の汚れから遮蔽され衛生になる。
【０００６】
ティッシュペーパーの使い捨て蓋が汚れた場合は、汚れたティッシュペーパーの使い捨て蓋をティッシュペーパーの容器から取り外し、この汚れたティッシュペーパーの使い捨て蓋のみを使い捨てて、新しいティッシュペーパーの使い捨て蓋に交換しティッシュペーパーの容器に被せる事の働きにより、汚れたティッシュペーパーの使い捨て蓋を掃除する手間を省く事ができる。
【０００７】
さらに、ティッシュペーパーの使い捨て蓋が汚れてもティッシュペーパーの使い捨て蓋のみの交換で済む為、ティッシュペーパーの容器自体は交換する必要が無く、同じティッシュペーパーの容器に対して、ティッシュペーパーの使い捨て蓋が汚れる度に何度でもティッシュペーパーの使い捨て蓋のみを交換する事が可能であり、手間をかけずに衛生なティッシュペーパーの使い捨て蓋に交換できる。
【０００８】
ティッシュペーパーの使い捨て蓋は容器の形状を用いる必要が無く、塵の汚れを遮蔽するにはティッシュペーパーの使い捨て蓋をティッシュペーパーの容器に被せれば可能である為、使用する資材も少なく省資源化に寄与できる。
【０００９】
新しいティッシュペーパーの使い捨て蓋へ交換する度に衛生になるので健康に寄与でき、さらに掃除の手間が省けた時間の分だけ自由な時間を増やす事ができる。
【発明を実施するための最良の形態】
【００１０】
この発明の一実施形態を、図面を参照しながら説明する。
この実施形態のティッシュペーパーの使い捨て蓋８は、従来技術（図４）のティッシュペーパーの容器１に対して使用する蓋２である。
蓋２は紙素材で、大きさはティッシュペーパー４に密着し遮蔽するために十分なものとする。
【００１１】
ティッシュペーパーの容器１から露出しているティッシュペーパー４の上から蓋２を被せて、ティッシュペーパーの容器１と蓋２で露出しているティッシュペーパー４を挟んで密着させる。
【００１２】
蓋２が汚れた場合は、汚れた蓋２をティッシュペーパーの容器１から取り外し、この汚れた蓋２のみを使い捨てて、新しい蓋２に交換しティッシュペーパーの容器１に被せる。
【００１３】
「実施形態の効果」
この実施形態によれば、ティッシュペーパーの容器１と蓋２でティッシュペーパーの容器１から露出しているティッシュペーパー４を挟んで密着させる事の働きにより、ティッシュペーパー４が空気に露出する機会を減らし、塵５の汚れから遮蔽され衛生になる。
【００１４】
蓋２が汚れた場合は、汚れた蓋２をティッシュペーパーの容器１から取り外し、この汚れた蓋２のみを使い捨てて、新しい蓋２に交換しティッシュペーパーの容器１に被せる事の働きにより、汚れた蓋２を掃除する手間を省く事ができる。
【００１５】
さらに、蓋２が汚れても蓋２のみの交換で済む為、ティッシュペーパーの容器１自体は交換する必要が無く、同じティッシュペーパーの容器１に対して、蓋２が汚れる度に何度でも蓋２のみを交換する事が可能であり、手間をかけずに衛生な蓋２に交換できる。
【００１６】
蓋２は容器の形状を用いる必要が無く、塵５の汚れを遮蔽するには蓋２をティッシュペーパーの容器１に被せれば可能である為、使用する資材も少なく省資源化に寄与できる。
【００１７】
新しい蓋２へ交換する度に衛生になるので健康に寄与でき、さらに掃除の手間が省けた時間の分だけ自由な時間を増やす事ができる。
【図面の簡単な説明】
【００１８】
【図１】この発明の一実施形態を示す斜視図である。
【図２】蓋を取り外した状態の、この発明の一実施形態を示す斜視図である。
【図３】蓋を被せた状態の、この発明の一実施形態を示す斜視図である。
【図４】従来技術を示す斜視図である。
【符号の説明】
【００１９】
１  ティッシュペーパーの容器
２  蓋
４  ティッシュペーパー
５  塵
７  ティッシュペーパーを取り出す為の穴
８  ティッシュペーパーの使い捨て蓋
【図１】
2010132320.tif 000003
【図２】
2010132320.tif 000004
【図３】
2010132320.tif 000005
【図４】
2010132320.tif 000006
(57)【要約】      （修正有）【課題】大型で重量があっても作業者が一人で組み立てることができる梱包箱を提供する。【解決手段】６枚の略四角形状のパネルを互いに差し込まれてなる組立式梱包箱において、底パネル１０及び蓋パネル２０にはそれぞれの四辺の近滂に穴２Ａ、２Ｂを設け、前パネル５０及び後パネル６０及び側パネル３０、４０にそれぞれ底パネルと蓋パネルの対応する穴に差込まれる凸部３０Ｂ、４０Ｂ、５０Ａ、６０Ａを設け、前パネル及び後パネルの両側方には一対の側パネルの穴に差込まれる凸部５０Ｂ、６０Ｂを設けたものである。【選択図】図１
2010132334.tif 000002
【特許請求の範囲】
【請求項１】
６枚の略四角形状のパネルを互いに差し込まれてなる組立式梱包箱において、底パネル及び蓋パネルにはそれぞれの四辺の近滂に穴を設け、前パネル及び後パネル及び一対の側パネルに、それぞれ底パネルと蓋パネルの対応する穴に差込まれる凸部を設け、前パネル及び後パネルの両側方には前記一対の側パネルの穴に差込まれる凸部を設けていることを特徴とする組立式梱包箱。
【請求項２】
底パネルと蓋パネルは同一形状であり、前パネルと後パネルは同一形状であり、一対の側パネルは互いに同一形状であることを特徴とする請求項１に記載の組立式梱包箱。
【請求項３】
荷締ベルトが係止するための凹部を底パネルと蓋パネルに設けたことを特徴とする請求項１に記載の組立式梱包箱。
【発明の詳細な説明】
【技術分野】
【０００１】
本発明は荷物輸送用の組立式梱包箱に関する。
【背景技術】
【０００２】
凸部を穴に差込んで組み立てて箱が形成されるものが知られている（例えば特許文献１参照。）。
【０００３】
【特許文献１】特開２００４−１６８３３０
【発明の開示】
【発明が解決しようとする課題】
【０００４】
従来の組立式ケースは小型・軽量のケースには適用できるが、輸送用の梱包箱など
大型で重量がある場合、作業者が複数のパネルを保持しながら組立るため一人で組み立てるのは困難である。本発明の目的は、大型で重量があっても作業者が一人で組み立てることができる梱包箱を提供することである。
【課題を解決するための手段】
【０００５】
上記の課題を解決する為、この発明の組立式梱包箱では、６枚の略四角形状のパネルを互いに差し込まれてなる組立式梱包箱において、底パネル及び蓋パネルにはそれぞれの四辺の近滂に穴を設け、前パネル及び後パネル及び側パネルにそれぞれ底パネルと蓋パネルの対応する穴に差込まれる凸部を設け、前パネル及び後パネルの両側方には一対の側パネルの穴に差込まれる凸部を設けていることを特徴とする。
【０００６】
また、底パネルと蓋パネルは同一形状であり、前パネルと後パネルは同一形状であり、一対の側パネルは互いに同一形状であることを特徴とする。
また、荷締ベルトが係止するための凹部を底パネルと蓋パネルに設けたことを特徴とする。
【発明の効果】
【０００７】
輸送用の梱包箱など大型で重量のある箱を、作業者が一人で組み立てられる。
また、３種類のパネルで構成されているため、識別も簡単で組立も容易である。
また、荷締ベルトを係止するための凹部があり、ベルトのズレを防止できる。
【発明を実施するための最良の形態】
【０００８】
以下、この発明の実施形態を図面に基づいて説明する。図１に第１実施形態を示す。
底パネル１０と蓋パネル２０は同一形状であり、それら四辺近傍には各２個づつの穴１０Ａ、１０Ｂ、２０Ａ、２０Ｂが形成されている。符号１は荷締ベルトが係止するための凹部である。
【０００９】
一対の側パネル３０と側パネル４０は同一形状であり、それら左右両端には各２個づつの穴３０Ａ、４０Ａがあり、上部と下部に各２個づつの凸部３０Ｂ、４０Ｂが形成されている。前パネル５０と後パネル６０は同一形状であり、四辺近傍に各２個づつの凸部５０Ａ、５０Ｂ、６０Ａ、６０Ｂが形成されている。
以下に組立の手順について説明する。
【００１０】
底パネル１０を床に設置し、側パネル３０及び側パネル４０の下部凸部３０Ｂ、４０Ｂを底パネル１０の穴１０Ａに差し込むと側パネル３０及び側パネル４０は外側に傾いた状態で自立する。
【００１１】
前パネル５０と後パネル６０の下部凸部５０Ａ、６０Ａを底パネル１０の穴１０Ｂに差し込み、側パネル３０と側パネル４０を順番に起し、前パネル５０及び後パネル６０の側面凸部５０Ｂ、６０Ｂを側パネル３０及び側パネル４０の穴３０Ａ、４０Ａに差し込む。
【００１２】
蓋パネル２０の穴２０Ａに側パネル３０と側パネル４０の上部凸部３０Ｂ,４０Ｂを差し込み蓋パネル２０の穴２０Ｂに前パネル５０と後パネル６０の上部凸部５０Ａ,６０Ａを差し込むことによって図２に示すごとく組立が完成する。
なお、各穴とそれに対応する各凸部は適当なる締り嵌めとなっている。
【００１３】
図３は、蓋パネルと底パネルの凹部に荷締ベルトを係止させて梱包箱をしっかり固定させ、輸送中に分解しないようにした例を示す。
【００１４】
各パネルの材質は、合板又は木質ボードであることが好ましく、プラスチック又は金属又は段ボール又は紙質圧縮ボードでもよい。
【図面の簡単な説明】
【００１５】
【図１】第１実施形態の分解斜視図
【図２】組立完成図
【図３】第一実施形態の分析斜視図に荷締ベルトを使用した斜視図
【符号の説明】
【００１６】
１  荷締ベルトを係止するための凹部
２  荷締ベルト
１０    底パネル
１０Ａ  底パネル穴
１０Ｂ  底パネル穴
２０    蓋パネル
２０Ａ  蓋パネル穴
２０Ｂ  蓋パネル穴
３０    側パネル
３０Ａ  側パネル穴
３０Ｂ  側パネル凸部
４０    側パネル
４０Ａ  側パネル穴
４０Ｂ  側パネル凸部
５０    前パネル
５０Ａ  前パネル凸部
５０Ｂ  前パネル側面凸部
６０    後パネル
６０Ａ  後パネル凸部
６０Ｂ  後パネル側面凸部
【図１】
2010132334.tif 000003
【図２】
2010132334.tif 000004
【図３】
2010132334.tif 000005